(57)【特許請求の範囲】
【請求項１】
複数企業の利用者クライアント端末と、その端末からインターネットを介して業務ソフトサービスを依頼される業務ソフトサービス運用業者のコンピュータシステムである仲介サービス処理装置とから構成される業務ソフトサービスシステムであって、
前記クライアント端末は、少なくともＷｅｂブラウザと、前記仲介サービス処理装置より送られた業務ソフトＷｅｂ画面にデータを入力し生成した処理結果を蓄積・更新できる業務ソフト処理結果記録部と、業務ソフトＷｅｂ画面にデータを入力し生成した処理結果を蓄積・更新できる業務ソフト処理結果記録部の所定ディレクトリをオープンできるＩＤコードとパスワードを登録したパスワードキー記録部を備え、
前記仲介サービス処理装置は、ファイアウォールと、前記クライアント端末に応答して指定された業務ソフトＷｅｂ画面を送信しサービス業務を行うＷｅｂサーバと、その業務に必要なデータベースとを少なくとも備え、
前記データベースは、複数の業務ソフト毎に必要とする業務ソフト用データベースと、各企業毎の企業が指定した利用者会員のＩＤコード及びパスワードを登録した認証用パスワードデータベースとを備え、
前記Ｗｅｂサーバは、企業の利用者のクライアント端末からの業務ソフトサービス依頼のアクセス信号に応答し、業務ソフト利用申込画面を送信する利用申込画面送信手段と、その利用申込画面に利用者が入力したデータを受信して、ＩＤコードとパスワードを前記認証用パスワードデータベースと照合する認証手段と、一致すれば利用者を会員と認証し、利用者の指定した業務ソフトの処理入力画面を所定単位のＷｅｂ画面に分けて送信する処理入力画面送信手段と、
さらにそれらの手段と共に、その企業利用者のクライアント端末の前記パスワードキー記録部にアクセスして、そのパスワードを取得し、前記所定のディレクトリにある前記処理結果記録部をオープンし、利用者が前記処理入力画面にデータを入力した処理結果をクライアント端末の前記業務ソフト処理結果記録部に書込む処理結果書込実行ファイルをクライアント端末に送信し実行させるキー無し書込実行ファイル送信手段とを少なくとも備えることを特徴とするインターネットを介する業務ソフトサービスシステム。
【請求項２】
複数企業の利用者クライアント端末と、その端末からインターネットを介して業務ソフトサービスを依頼される業務ソフトサービス運用業者のコンピュータシステムである仲介サービス処理装置とから構成される業務ソフトサービスシステムであって、
前記クライアント端末は、少なくともＷｅｂブラウザと、前記仲介サービス処理装置より送られた業務ソフトＷｅｂ画面にデータを入力し生成した処理結果を蓄積・更新できる業務ソフト処理結果記録部を備え、
前記仲介サービス処理装置は、ファイアウォールと、前記クライアント端末に応答して指定された業務ソフトＷｅｂ画面を送信しサービス業務を行うＷｅｂサーバと、その業務に必要なデータベースとを少なくとも備え、
前記データベースは、各業務ソフト毎に必要とする業務ソフト用データベースと、各企業毎の企業が指定した利用者会員のＩＤコード及びパスワードを登録した認証用パスワードデータベースと、
前記クライアント端末の前記業務ソフト処理結果記録部の所定ディレクトリをオープンできるＩＤコードとパスワードを予め企業責任者が登録した各企業毎の各利用者端末の前記記録部をオープンできるパスワードキーデータベースとを備え、
前記Ｗｅｂサーバは、企業の利用者クライアント端末からの業務ソフトサービス依頼のアクセス信号に応答し、業務ソフト利用申込画面を送信する利用申込画面送信手段と、
その利用申込画面に利用者が入力したデータを受信して、ＩＤコードとパスワードを前記認証用パスワードデータベースと照合する認証手段と、
前記照合で一致すればその利用者を会員と認証し、利用者の指定した業務ソフトの処理入力画面を所定単位のＷｅｂ画面に分けて送信する処理入力画面送信手段と、
その手段と共に、その企業利用者のクライアント端末の所定のディレクトリにある前記処理結果記録部をオープンし、利用者が前記処理入力画面にデータを入力した処理結果をクライアント端末の前記業務ソフト処理結果記録部に書込む処理結果書込実行ファイルと、前記業務ソフト処理結果記録部をオープンするためのＩＤコード及びパスワードを前記パスワードキーデータベースから検索呼出し作成したキーデータファイルとをクライアント端末に送信し実行させるキー付き書込実行ファイル送信手段とを少なくとも備えることを特徴とするインターネットを介する業務ソフトサービスシステム。
【請求項３】
前記データベースは、さらに、企業が前記業務ソフトのサービスを受けた際の企業名とその利用者、利用業務ソフト名、日付、利用時間を記録する利用履歴データベースを備え、
前記Ｗｅｂサーバは、さらに、前記利用履歴データベースに基づいて利用企業先毎の利用料金を算出する課金手段を備えることを特徴とする請求項１又は２記載のインターネットを介する業務ソフトサービスシステム。
【請求項４】
前記データベースは、さらに利用者が前記処理入力画面にデータを入力した処理結果をバックアップとして企業の指示に基づいて保管する企業利用者のバックアップ用データベースを備え、
前記Ｗｅｂサーバは、さらに企業利用者が前記処理入力画面で入力を行った日時範囲を定めて、その利用者の指定した日毎にクライアント端末の前記業務ソフト処理結果記録部から前記バックアップ用データベースへ送信させる自動バックアップ保管手段を備えることを特徴とする請求項２又は３記載のインターネットを介する業務ソフトサービスシステム。
【請求項５】
前記クライアント端末において、利用者が必要とした前記処理結果のデータを、その利用者のバックアップ用データベースに送信したときは、前記Ｗｅｂサーバは応答して前記バックアップ用データベースに保管するバックアップ受付保管手段を備えることを特徴とする請求項２ないし４に記載のインターネットを介する業務ソフトサービスシステム。
【請求項６】
前記クライアント端末は、さらに前記業務ソフト処理結果記録部の所定ディレクトリをオープンできるＩＤコードとパスワードを登録したパスワードキー記録部を備え、
前記Ｗｅｂサーバは、さらに処理入力画面送信手段と同時にその企業利用者のクライアント端末の前記パスワードキー記録部にアクセスして、そのパスワードにより所定のディレクトリにある前記処理結果記録部をオープンし、利用者が前記処理入力画面にデータを入力した処理結果をその記録部に書込む処理結果書込実行ファイルを送信し実行させる、キー無し書込実行ファイル送信手段とを備え、
前記企業利用者が、クライアント端末から前記仲介サービス処理装置に対して業務ソフトサービスを依頼するに際し、利用者が生成した入力データを前記処理結果記録部に蓄積するとき、その記録部にアクセスするパスワードキーをクライアント端末側におくか、仲介サービス処理装置側におくかをＷｅｂ画面で選択できるキー位置選択手段を備えることを特徴とする請求項４又は５記載のインターネットを介する業務ソフトサービスシステム。
【請求項７】
前記キー位置選択手段において、パスワードキーを仲介サービス処理装置側におくときは、さらに仲介サービス処理装置のバックアップデータベースに保管を依頼するか、しないかをＷｅｂ画面で選択できるバックアップ選択手段を備えることを特徴とする請求項６記載のインターネットを介する業務ソフトサービスシステム。
【請求項８】
前記キー位置選択手段とバックアップ選択手段において、利用者が選択した履歴は総て選択履歴データベースに企業利用者毎に記録され、次回の業務ソフト利用サービスを受けるときは選択しなくても自動的にデフォルト値としてＷｅｂ画面に表示され、確認ボタンで実行されることを特徴とする請求項７記載のインターネットを介する業務ソフトサービスシステム。
【発明の詳細な説明】
【０００１】
【発明の属する技術分野】
本発明は、インターネットを介した業務ソフトの提供システムに関し、詳しくはアプリケーションサービスプロバイダ（ＡＳＰ）事業の業務ソフトのサービス形態において、その業務ソフトＷｅｂ画面から入力した利用企業の業務データ記憶媒体の所在をその利用企業にする機能を備えた業務ソフトサービスシステムに関する。
【０００２】
【従来の技術】
業務ソフトの利用方法としては、購入、レンタルなどの契約形態に対し、インターネットを介してアプリケーションサービスプロバイダ（ＡＳＰ）事業者から業務処理の都度ソフトの提供を受ける利用方法が普及してきている。このＡＳＰ利用では、Ｗｅｂブラウザを備えた端末機があれば利用でき、膨大な処理ソフトやデータを収容するコンピュータや、多数の端末を接続するＬＡＮなどの設備を備える必要がない。また常に最新のバージョンのソフトを利用することができる。
【０００３】
しかし、業務ソフトを？して入力した重要な業務データ、例えば会社の財務、販売、人事・給与などの業務データがＡＳＰ事業者のセンターコンピュータに記録される。このため、利用企業にとっては、ＡＳＰ事業者のセキュリティが完備されているとしても、内部データを外部に委ねる不安が伴う問題があった。
【０００４】
図７に従来のＡＳＰ事業者の一般的な業務ソフトサービスシステム１００を示す。
【０００５】
ここで、１１０はＡＳＰ事業者すなわち業務ソフトサービス運用業者のＷｅｂ上に設けた仲介サービス処理装置、１９０はインターネット回線９０を介して接続するＷｅｂブラウザ１９０ａを設けた複数企業の利用者クライアント端末を示す。
【０００６】
仲介サービス処理装置１１０は、ファイアウォール１１１、Ｗｅｂサーバ１１２、データベースサーバ１１３、データベース１１４、業務処理端末１１５などから通常構成され、データベース１１４には業務ソフト用データベース１１４ａ、企業毎利用者認証用パスワードデータベース１１４ｂ、利用履歴データベース１１４ｃ、業務ソフト処理結果データベース１１４ｄがあり、Ｗｅｂサーバ１１２には利用申込Ｗｅｂ画面送信手段１１２ａ、利用者認証手段１１２ｂ、処理入力画面送信手段１１２ｃ、課金手段１１２ｄ、処理結果受信保管手段１１２ｅを備えた。
【０００７】
このような従来の業務ソフトサービスシステム１００の特徴は、前記処理結果受信保管手段１１２ｅにより企業利用者の端末１９０で入力した業務ソフト処理結果を受信して、それをデータベース１１４ｄに記録し、その処理結果を保管することにある。従って前述したように内部データを外部に委ねる不安が発生していた。
【０００８】
【発明が解決しようとする課題】
本発明は、前述の問題に鑑みてなされたものであり、業務ソフトＷｅｂ画面から入力して生成した業務データを企業の利用者端末機に設けた記録装置に記録して運用できる企業の機密性を向上させたインターネットを介した業務ソフトサービスシステムを提供することを目的とする。
【０００９】
【課題を解決するための手段】
インターネットを介する業務ソフトサービスシステムは、複数企業の利用者クライアント端末と、その端末からインターネットを介して業務ソフトサービスを依頼される業務ソフトサービス運用業者のコンピュータシステムである仲介サービス処理装置とから構成される業務ソフトサービスシステムであって、
前記クライアント端末は、少なくともＷｅｂブラウザと、前記仲介サービス処理装置より送られた業務ソフトＷｅｂ画面にデータを入力し生成した処理結果を蓄積・更新できる業務ソフト処理結果記録部を備え、
前記仲介サービス処理装置は、少なくとも利用者が前記処理入力画面にデータを入力した処理結果をクライアント端末の前記業務ソフト処理結果記録部に書込む処理結果書込実行ファイルをクライアント端末に送信し実行させる書込実行ファイル送信手段を備えることを特徴とする。
【００１０】
また、前記クライアント端末は、業務ソフトＷｅｂ画面にデータを入力し生成した処理結果を蓄積・更新できるさらに業務ソフト処理結果記録部の所定ディレクトリをオープンできるＩＤコードとパスワードを登録したパスワードキー記録部を備え、
前記仲介サービス処理装置は、ファイアウォールと、前記クライアント端末に応答して指定された業務ソフトＷｅｂ画面を送信しサービス業務を行うＷｅｂサーバと、その業務に必要なデータベースとを少なくとも備え、
前記データベースは、複数の業務ソフト毎に必要とする業務ソフト用データベースと、
各企業毎の企業が指定した利用者会員のＩＤコード及びパスワードを登録した認証用パスワードデータベースと、
企業が前記業務ソフトのサービスを受けた際の企業名とその利用者、利用業務ソフト名、日付、利用時間を記録する利用履歴データベースとを備え、
前記Ｗｅｂサーバは、企業の利用者のクライアント端末からの業務ソフトサービス依頼のアクセス信号に応答し、業務ソフト利用申込画面を送信する利用申込画面送信手段と、
その利用申込画面に利用者が入力したデータを受信して、ＩＤコードとパスワードを前記認証用パスワードデータベースと照合する認証手段と、
一致すれば利用者を会員と認証し、利用者の指定した業務ソフトの処理入力画面を所定単位のＷｅｂ画面に分けて送信する処理入力画面送信手段と、
その手段と共に、その企業利用者のクライアント端末の前記パスワードキー記録部にアクセスして、そのパスワードを取得し、前記所定のディレクトリにある前記処理結果記録部をオープンし、利用者が前記処理入力画面にデータを入力した処理結果をクライアント端末の前記業務ソフト処理結果記録部に書込む処理結果書込実行ファイルをクライアント端末に送信し実行させるキー無し書込実行ファイル送信手段と、
前記利用履歴データベースに基づいて利用企業先毎に利用料金を算出する課金手段とを少なくとも備えることを特徴とする。
【００１１】
前記データベースは、さらに、企業が前記業務ソフトのサービスを受けた際の企業名とその利用者、利用業務ソフト名、日付、利用時間を記録する利用履歴データベースを備え、
前記Ｗｅｂサーバは、さらに、前記利用履歴データベースに基づいて利用企業先毎の利用料金を算出する課金手段を備えることを特徴とする。
【００１２】
また、前記データベースは、さらに利用者が前記処理入力画面にデータを入力した処理結果をバックアップとして企業の指示に基づいて保管する企業利用者のバックアップ用データベースを備え、
前記Ｗｅｂサーバは、さらに企業利用者が前記処理入力画面で入力を行った日時範囲を定めて、その利用者の指定した日毎にクライアント端末の前記業務ソフト処理結果記録部から前記バックアップ用データベースへ送信させる自動バックアップ保管手段を備えることを特徴とする。
【００１３】
また、前記クライアント端末において、利用者が必要とした前記処理結果のデータを、その利用者のバックアップ用データベースに送信したときは、前記Ｗｅｂサーバは応答して前記バックアップ用データベースに保管するバックアップ受付保管手段を備えることを特徴とする。
【００１４】
また、前記クライアント端末は、さらに前記業務ソフト処理結果記録部の所定ディレクトリをオープンできるＩＤコードとパスワードを登録したパスワードキー記録部を備え、
前記Ｗｅｂサーバは、さらに処理入力画面送信手段と同時にその企業利用者のクライアント端末の前記パスワードキー記録部にアクセスして、そのパスワードにより所定のディレクトリにある前記処理結果記録部をオープンし、利用者が前記処理入力画面にデータを入力した処理結果をその記録部に書込む処理結果書込実行ファイルを送信し実行させる、キー無し書込実行ファイル送信手段とを備え、
前記企業利用者が、クライアント端末から前記仲介サービス処理装置に対して業務ソフトサービスを依頼するに際し、利用者が生成した入力データを前記処理結果記録部に蓄積するとき、その記録部にアクセスするパスワードキーをクライアント端末側におくか、仲介サービス処理装置側におくかをＷｅｂ画面で選択できるキー位置選択手段を備えることを特徴とする。
【００１５】
また、前記キー位置選択手段において、パスワードキーを仲介サービス処理装置側におくときは、さらに仲介サービス処理装置のバックアップデータベースに保管を依頼するか、しないかをＷｅｂ画面で選択できるバックアップ選択手段を備えることを特徴とする。
【００１６】
また、前記キー位置選択手段とバックアップ選択手段において、利用者が選択した履歴は総て選択履歴データベースに企業利用者毎に記録され、次回の業務ソフト利用サービスを受けるときは選択しなくても自動的にデフォルト値としてＷｅｂ画面に表示され、確認ボタンで実行されることを特徴とする。
【００１７】
【発明の実施の形態】
本発明の実施の形態を、以下図に基づき説明する。
【００１８】
図１は本発明の第１の実施形態である業務ソフトサービスシステム１の構成図である。
【００１９】
ここで、１０は業務ソフトサービス運用業者のコンピュータシステムである仲介サービス処理装置、５０はインターネット回線９０を介して接続する企業の利用者クライアント端末である。
【００２０】
このクライアント端末５０はＷｅｂブラウザ５０ａと、仲介サービス処理装置１０より送られた業務ソフトＷｅｂ画面にデータを入力し生成した処理結果を蓄積・更新できる業務ソフト処理結果記録部５１ａとを備えている。その記録部５１ａはハードディスク装置５１の中の所定のディレクトリに作成する。さらにクライアント端末５０は、その所定のディレクトリの記録部５１ａをオープンするためのＩＤコードとパスワードを登録したパスワードキー記録部５１ｂをハードディスク装置５１内に設ける。
【００２１】
一方、仲介サービス処理装置１０はファイアウォール１１と、クライアント端末５０に応答して指定された業務ソフトＷｅｂ画面を送信しサービス業務を行うＷｅｂサーバ１２と、その業務に必要なデータベース１４を管理するデータベースサーバ１３とデータ入出力用業務処理端末１５とを備える。
【００２２】
そのデータベース１４は複数の業務ソフト毎に必要とする業務ソフト用データベース１４ａと各企業が指定した利用者会員のＩＤコード及びパスワードを登録した認証用パスワードデータベース１４ｂと、企業が前記業務ソフトのサービスを受けた際の企業名とその利用者、利用業務ソフト名、日付、利用時間を記録する利用履歴データベース１４ｃとを備える。
【００２３】
一方、Ｗｅｂサーバ１２は企業の利用者クライアント端末５０からの業務ソフトサービス依頼のアクセス信号に応答し、業務ソフト利用申込画面を送信する利用申込画面送信手段１２ａを備える。
【００２４】
また、利用申込画面に利用者が入力したデータを受信して、ＩＤコードとパスワードを認証用パスワードデータベース１４ｂと照合する認証手段１２ｂを備える。
【００２５】
また、手段１２ｂで照合が一致すれば利用者を会員と認証し、業務ソフト用データベース１４ａを検索し利用者の指定した業務ソフトの処理入力画面を所定単位のＷｅｂ画面に分けて送信する処理入力画面送信手段１２ｃを備える。
【００２６】
また、手段１２ｃと共にその企業利用者のクライアント端末５０のパスワードキー記録部５１ｂにアクセスして、そのパスワードを取得し前記所定のディレクトリにある処理結果記録部５１ａをオープンし、利用者が前記処理入力画面にデータを入力した処理結果をその記録部５１ａに書込む処理結果書込実行ファイルを送信し、実行させる書込実行ファイル送信手段１２ｅを備える。
【００２７】
さらに、利用履歴データベース１４ｃに基づいて、利用企業毎の利用料金を算出する課金手段１２ｄを備える。
【００２８】
以上の図１に示した本発明の業務ソフトサービスシステム１の動作の流れを図５に示す。（第１の実施の形態）
【００２９】
仲介サービス処理装置１０は、企業利用者クライアント端末５０からサービス依頼のアクセスに応答し、業務ソフト利用申込画面を送信する（Ｓ５１）。
【００３０】
装置１０は端末５０からの入力データを受信し、パスワードを認証用パスワードデータベース１４ｂを照合する（Ｓ５２）。
【００３１】
照合が一致すれば、利用者と認証し、業務ソフト用データベース１４ａより指定された業務ソフトの処理入力画面を所定単位のＷｅｂ画面に分け、一画面の入力終了毎に次の画面を逐次送信する（Ｓ５３）。
【００３２】
前記処理入力Ｗｅｂ画面を送信する毎に続けて、端末５０のパスワードキー記録部５１ｂにアクセスして、そのパスワードを取得し、前記所定のディレクトリにある処理結果記録部５１ａをオープンし、利用者が生成した処理結果を記録部５１ａに書込む処理結果書込実行ファイルを送信し実行させる（キー無し処理結果書込実行ファイル送信手段１２ｅ）（Ｓ５４）。
【００３３】
利用履歴を利用企業毎に利用履歴データベース１４ｃへ記録する（Ｓ５５）。
【００３４】
所定月毎に利用履歴データベース１４ｃに基づいて利用企業毎の利用料金を業務処理端末１５で算出し、その結果を企業毎にメール配信する（Ｓ５６）。
【００３５】
この第１の実施の形態の特徴は、業務ソフト処理結果記録部５１ａを企業の端末５０側におくと共にそのディレクトリへのパスワードキーも端末５０側におくことである。従って、社内の機密を最も高度に保ちたい企業向きである。
【００３６】
次に、図２は本発明の第２の実施形態である業務ソフトサービスシステム２の構成図である。
【００３７】
ここで２０は、仲介サービス処理装置、６０はインターネット回線９０を介して接続する企業の利用者クライアント端末である。
【００３８】
クライアント端末６０はＷｅｂブラウザ６０ａと、仲介サービス処理装置２０より送られた業務ソフトＷｅｂ画面にデータを入力し生成した処理結果を蓄積・更新できる処理結果記録部６１ａとを備えている。その記録部６１ａはハードディスク装置６１の中の所定のディレクトリに作成する。
【００３９】
一方、仲介サービス処理装置２０はファイアウォール２１と、クライアント端末６０に応答して指定された業務ソフトＷｅｂ画面を送信しサービス業務を行うＷｅｂサーバ２２と、その業務に必要なデータベース２４を管理するデータベースサーバ２３と、データ入出力業務処理端末２５とを備える。
【００４０】
データベース２４は複数の業務ソフト毎に必要とする業務ソフト用データベース２４ａと、各企業が指定した利用者会員のＩＤコード及びパスワードを登録した認証用パスワードデータベース２４ｂと、企業が前記業務ソフトのサービスを受けた際の企業名とその利用者、利用業務ソフト名、日付、利用時間を記録する利用履歴データベース２４ｃとを備える。
【００４１】
さらに、端末６０の業務ソフト処理結果記録部６１ａの所定ディレクトリをオープンできるＩＤコードとパスワードを予め企業責任者が登録した、各企業毎の各利用者端末６０の記録部６１ａをオープンできるパスワードキーデータベース２４ｋを備える。
【００４２】
Ｗｅｂサーバ２２は、端末６０からサービス依頼のアクセスに応答し、業務ソフト利用申込画面を送信する利用申込画面送信手段２２ａを備える。
【００４３】
また、その利用申込画面に利用者が入力したデータを受信し、そのＩＤコードとパスワードを認証用パスワード２４ｂと照合する認証手段２２ｂを備える。
【００４４】
また、照合で一致すればその利用者を会員と認証し、指定された業務ソフトの処理入力画面所定単位のＷｅｂ画面に分けて一画面終了毎に逐次送信する処理入力画面送信手段２２ｃを備える。
【００４５】
また、その手段２２ｃと共に端末６０の所定のディレクトリにある処理結果記録部６１ａをオープンし、利用者が処理入力画面にデータを入力した処理結果をその記録部６１ａに書込む処理結果書込実行ファイルと、その記録部６１ａをオープンするためのＩＤコード及びパスワードをパスワードキーデータベース２４ｋより呼出し作成したキーデータファイルとを送信し実行させるキー付き書込実行ファイル送信手段２２ｆを備える。
【００４６】
さらに、利用履歴データベース２４ｃに基づいて、利用企業毎の利用料金を算出する課金手段２２ｄを備える。
【００４７】
以上の図２に示した本発明の業務ソフトサービスシステム２の動作の流れを図６に示す。（第２の実施の形態）
【００４８】
仲介サービス処理装置２０は、企業利用者クライアント端末６０からサービス依頼のアクセスを応答し、業務ソフト利用申込画面を送信する（Ｓ６１）。
【００４９】
装置２０は端末６０からの入力データを受信し、パスワードを認証用パスワードデータベース２４ｂと照合する（Ｓ６２）。
【００５０】
照合が一致すれば利用者と認証し、業務ソフト用データベース２４ａより指定された業務ソフトの処理入力画面を所定単位のＷｅｂ画面に分け、一画面の入力終了毎に次の画面を逐次送信する（Ｓ６３）。
【００５１】
前記処理入力Ｗｅｂ画面を送信する毎に、続けて端末６０の所定のディレクトリにある処理結果記録部６１ａをオープンし、利用者の入力処理結果を記録部６１ａに書込む処理結果書込実行ファイルと、その記録部６１ａをオープンするためのＩＤコード及びパスワードをパスワードキーデータベース２４ｋより呼出し作成したキーデータファイルとを送信し実行させる（キー付き処理結果書込実行ファイル送信手段２２ｆ）（Ｓ６４）。
【００５２】
利用履歴を利用企業毎に利用履歴データベース２４ｃへ記録する（Ｓ６５）。
【００５３】
所定月毎に利用履歴データベース２４ｃに基づいて利用企業毎の利用料金を業務処理端末２５で算出し、その結果を企業毎にメール配信する（Ｓ６６）。
【００５４】
この第２の実施の形態の特徴は業務ソフト処理結果記録部６１ａを企業の端末６０側におくが、そのディレクトリへのパスワードキーは仲介サービス処理装置２０側におくことである。すなわち、少なくとも処理結果は企業の端末側なので企業の機密は従来よりは高度に保つことができる。
【００５５】
次に、図３は本発明の第３の実施の形態である業務ソフトサービスシステム３の構成図である。
【００５６】
ここで、３０は仲介サービス処理装置、７０はインターネット回線９０を介して接続する企業の利用者クライアント端末である。
【００５７】
以上の図３の業務ソフトサービスシステム３の特徴は、図２の業務ソフトサービスシステム２の機能に加えて、処理結果のデータを企業の利用者が仲介サービス処理装置側にバックアップを依頼できることである。
【００５８】
詳しくは以下のようになる。クライアント端末７０はＷｅｂブラウザ７０ａと、ハードディスク装置７１の中の所定のディレクトリに作成された処理結果記録部７１ａとを備える。
【００５９】
一方、仲介サービス処理装置３０はファイアウォール３１と、Ｗｅｂサーバ３２と、データベース３４を管理するデータベースサーバ３３と、業務処理端末３５とを備える。
【００６０】
データベース３４は、業務ソフト用データベース３４ａと、利用者会員の認証用パスワードデータベース３４ｂと、利用履歴データベース３４ｃとを備える。
【００６１】
さらに、端末７０の記録部７１ａをオープンできるパスワードを登録したパスワードキーデータベース３４ｋと、前記処理結果をバックアップとして企業の指示に基づいて保管する企業利用者毎のバックアップ用データベース３４ｔを備える。
【００６２】
一方、Ｗｅｂサーバ３２は端末７０からのサービス依頼のアクセスに応答して業務ソフト利用申込画面を送信する利用申込画面送信手段３２ａと、利用者の認証手段３２ｂと、照合が一致すれば会員と認証し処理入力画面を送信する処理入力画面送信手段３２ｃと、その手段３２ｃと共に処理結果書込実行ファイルとそのキーデータファイルとを送信し実行させるキー付き書込実行ファイル送信手段３２ｆと、課金手段３２ｄとを備える。
【００６３】
さらに、Ｗｅｂサーバ３２は企業利用者が前記処理入力画面で入力を行った日時範囲を定めて、その利用者の指定日毎にクライアント端末７０の業務ソフト処理結果記録部７１ａからバックアップ用データベース３４ｔへ送信させる自動バックアップ保管手段３２ｔを備える。
【００６４】
また、端末７０において利用者が必要とするその処理結果データをバックアップ用データベース３４ｔへ送信したときは、Ｗｅｂサーバ３２はそれに応答してそのデータベース３４ｔに保管するバックアップ受付保管手段３２ｙを備える。
【００６５】
以上の図３に示した本発明の業務ソフトサービスシステム３の動作の流れにおいて、利用者がバックアップを望まない場合は、図２に示した本発明の業務ソフトサービスシステム２と全く同一の動作の流れとなる。
【００６６】
以上の流れの中で、もし利用者が定期的なバックアップを必要としたときには、端末７０から仲介サービス処理装置３０に対して自動バックアップ保管を依頼するアクセス信号を送信し、装置３０はこれを受信して処理入力画面で入力を行った日時範囲とそれを保管する指定日（例えば毎月）を定めるバックアップ保管用入力画面を送信して、利用者に入力させそのデータを企業利用者毎にデータベース３４ｔに記録して、その指定日毎に指定日時範囲を端末７０の記録部７１ａからデータベース３４ｔにバックアップして保管する。
【００６７】
また、利用者が一時的なバックアップを必要としたときは、端末７０から仲介サービス処理装置３０に対してバックアップ受付保管を依頼するアクセス信号を送信し、装置３０はこれを受信して、直ちにそれに応答してその時点で指定した処理入力画面を受付保管する。
【００６８】
次に、図４は本発明の第４の実施の形態である業務ソフトサービスシステム４の構成図である。
【００６９】
ここで、４０は仲介サービス処理装置、８０はインターネット回線９０を介して接続する企業の利用者クライアント端末である。
【００７０】
以上の図４の業務ソフトサービスシステム４の特徴は、図１の業務ソフトサービス１或は図２，３の業務ソフトサービス２，３のいずれかを利用者がサービス選択できるサービス選択手段４２ｚを備えることである。
【００７１】
詳しくは以下のようになる。クライアント端末８０はＷｅｂブラウザ８０ａと、ハードディスク装置８１の中の所定のディレクトリに作成された処理結果記録部８１ａとを備える。また、パスワードキー記録部８１ｂは必要とする利用者が端末８０に設ける。不要なら設けない。
【００７２】
一方、仲介サービス処理装置４０はファイアウォール４１とＷｅｂサーバ４２とデータベース４４を管理するデータベースサーバ４３と、業務処理端末４５を備える。
【００７３】
データベース４４は、業務ソフト用データベース４４ａと、認証用パスワードデータベース４４ｂと、利用履歴データベース４４ｃと、パスワードキーデータベース４４ｋと、バックアップ用データベース４４ｔを備える。
【００７４】
一方、Ｗｅｂサーバ４２は、利用申込画面送信手段４２ａと、認証手段４２ｂと、処理入力画面送信手段４２ｃと、キー無し書込実行ファイル送信手段４２ｅと、キー付き実行ファイル送信手段４２ｆと、課金手段４２ｄとを備える。
【００７５】
さらに、自動バックアップ保管手段４２ｔと、バックアップ受付保管手段４２ｙを備える。
【００７６】
以上の図４に示した本発明の業務ソフトサービスシステム４の動作の流れは以下のようになる。
【００７７】
クライアント端末８０からの業務ソフトサービス要求アクセス信号に応答して仲介サービス処理装置４０は、最初メインメニューを端末８０へ送信する。そのメインメニューＷｅｂ画面において利用者はまず、端末８０のハードディスク８１にある業務ソフト処理結果記録部８１ａのディレクトリをオープンするためのＩＤコード及びパスワードのキーデータを端末８０側におくか或は装置４０側におくかのキー位置選択（サービス選択）を行う。（キー位置選択手段、サービス選択手段４２ｚ）
【００７８】
また、キー位置を装置４０側に選択したときは、さらにバックアップ保管を行うか否かの選択を行わせてもよい。すなわち、自動バックアップ保管手段４２ｔを予約させてもよい。
【００７９】
以上の流れで、もしキー位置を装置４０側に選択すればそれ以後の動作の流れは、図１の業務ソフトサービスシステム１と同様の流れとなる。
【００８０】
以上の流れで、もしキー位置を装置４０側に選択すればそれ以後の動作の流れは、図２の業務ソフトサービスシステム２，３と同様の流れとなる。
【００８１】
【発明の効果】
本発明の業務ソフトサービスシステムは、以下に示す効果を奏する。
【００８２】
従来のように、業務ソフトサービス運用業者（アプリケーションサービスプロバイダ事業者）側のコンピュータシステムのデータベースに業務ソフトを用いて入力処理を行った処理結果のデータを記録保管するのではなく、それぞれの利用企業の端末側の記録部に記録保管するサービスシステムなので企業の機密は従来より高度に保つことができる。内部データを外部に委ねる不安は解消される。
【００８３】
また、その記録部にアクセスするためのパスワードなどのキーデータを利用企業の端末側の記録部に設ければより以上に企業の機密を高度に保つことができる。
【００８４】
また、利用者の必要とする処理結果データをバックアップしておきたいときは、そのデータを指定していつでもバックアップできるので、維持費と人件費が少なくバックアップを低コストで外部に委ねることができる。
【００８５】
また、企業側は以上の業務ソフトサービスシステムにより、膨大な処理ソフトやデータを収容するコンピュータシステムや多数の端末とそれを接続するＬＡＮなどの設備を備える必要はない。また、常に最新のバージョンのソフトを利用できる。
【図面の簡単な説明】
【図１】本発明の第１の実施の形態の業務ソフトサービスシステムの構成図である。
【図２】本発明の第２の実施の形態の業務ソフトサービスシステムの構成図である。
【図３】本発明の第３の実施の形態の業務ソフトサービスシステムの構成図である。
【図４】本発明の第４の実施の形態の業務ソフトサービスシステムの構成図である。
【図５】本発明の第１の実施の形態の業務ソフトサービスシステムの動作の流れ図である。
【図６】本発明の第２の実施の形態の業務ソフトサービスシステムの動作の流れ図である。
【図７】従来の業務ソフトサービスシステムの構成図である。
【符号の説明】
１，２，３，４，１００    業務ソフトサービスシステム
１０，２０，３０，４０，１１０    仲介サービス処理装置
１１，２１，３１，４１，１１１    ファイアウォール
１２，２２，３２，４２，１１２    Ｗｅｂサーバ
１２ａ，２２ａ，３２ａ，４２ａ，１１２ａ  利用申込画面送信手段
１２ｂ，２２ｂ，３２ｂ，４２ｂ，１１２ｂ  認証手段
１２ｃ，２２ｃ，３２ｃ，４２ｃ，１１２ｃ  処理入力画面送信手段
１２ｄ，２２ｄ，３２ｄ，４２ｄ，１１２ｄ  課金手段
１２ｅ，４２ｅ  キー無し処理結果書込実用ファイル送信手段
１１２ｅ  処理結果受信保管手段
２２ｆ，３２ｆ，４２ｆ  キー付き処理結果書込実行ファイル送信手段
３２ｔ，４２ｔ  自動バックアップ保管手段
３２ｙ，４２ｙ  バックアップ受付保管手段
４２ｚ  サービス選択手段（キー位置選択手段）
１３，２３，３３，４３，１１３    データベースサーバ
１４，２４，３４，４４，１１４    データベース
１４ａ，２４ａ，３４ａ，４４ａ，１１４ａ  業務ソフト用データベース
１４ｂ，２４ｂ，３４ｂ，４４ｂ，１１４ｂ  認証用パスワードデータベース
１４ｃ，２４ｃ，３４ｃ，４４ｃ，１１４ｃ  利用履歴データベース
１１４ｄ  業務ソフト処理結果データベース
２４ｋ，３４ｋ，４４ｋ  パスワードキーデータベース
３４ｔ，４４ｔ  バックアップ用データベース
１５，２５，３５，４５，１１５    業務処理端末
５０，６０，７０，８０，１９０    企業の利用者クライアント端末
５０ａ，６０ａ，７０ａ，８０ａ，１９０ａ  Ｗｅｂブラウザ
５１，６１，７１，８１    ハードディスク装置
５１ａ，６１ａ，７１ａ，８１ａ  業務ソフト処理結果記録部
５１ｂ，８１ｂ  パスワードキー記録部
９０    インターネット回線
【図１】
0003577494.tif 000002
【図２】
0003577494.tif 000003
【図３】
0003577494.tif 000004
【図４】
0003577494.tif 000005
【図５】
0003577494.tif 000006
【図６】
0003577494.tif 000007
【図７】
0003577494.tif 000008